(57)【要約】【課題】折畳みまたは格納されたネット等の展開に手間がかからず、展開されたネット等の折畳みまたは格納に手間がかからず、折畳みまたは格納後の保管場所においてかさばらないネットを提供する。【解決手段】中心で結束され放射状に張り出した３本〜１２本の骨および骨に部分的に結束された網を有し、部分的に結束された骨および網は連動して展開された状態または畳まれた状態をとることができ、骨および網が展開された状態では網が屋根を形成し底部が開放されているテント状となり、骨および網が畳まれた状態では畳まれた傘のように狭い場所に格納することができる形状となり、骨および網の開閉操作すなわち展開したり畳んだりする操作がワンタッチでできる構造を有し、骨の先端部分におもりを有し、骨および網が展開された状態で自立性を有する、屋外用の折畳み式ネット。【選択図】図１
0003154764.tif 000002
【実用新案登録請求の範囲】
【請求項１】
中心で結束され放射状に張り出した３本〜１２本の骨および
骨に部分的に結束された網を有し、
部分的に結束された骨および網は連動して展開された状態または畳まれた状態をとることができ、
骨および網が展開された状態では網が屋根を形成し底部が開放されているテント状となり、
骨および網が畳まれた状態では畳まれた傘のように狭い場所に格納することができる形状となり、
骨および網の開閉操作すなわち展開したり畳んだりする操作がワンタッチでできる構造を有し、
骨の先端部分におもりを有し、
骨および網が展開された状態で自立性を有する、
屋外用の折畳み式ネット。
【請求項２】
網はカラス忌避のための処理が施されたものである請求項1に記載の折畳み式ネット。
【請求項３】
網は紫外線吸収剤または光安定剤を含有する再利用プラスチックからなるものである請求項1に記載の折畳み式ネット。
【請求項４】
網は太さが０．５ｍｍ〜４ｍｍの範囲である糸からなる請求項１に記載の折畳み式ネット。
【請求項５】
屋外のごみ一時置き場で袋入りごみに被せて鳥獣害防止に使用される、請求項１〜４のいずれかに記載の折畳み式ネット。
【請求項６】
ごみの戸別回収において使用される請求項５に記載の折畳み式ネット。
【考案の詳細な説明】
【技術分野】
【０００１】
本考案は、屋外で使用される折り畳み式ネットに関するものである。特に屋外のごみの保管場所などにおいて鳥獣によるごみ散乱を防止できる屋外用の折り畳み式ネットに関するものである。
【背景技術】
【０００２】
ごみの戸別回収における屋外一時保管場所で、鳥獣によりごみが荒らされ散乱するのを防止するため、ネットやかご（以下、ネット等という。）を利用することは多く考案または発明されている。
上記ネット等であって折畳みまたは格納できるタイプのものも知られている（特許文献１〜８等）。
【０００３】
しかし、従来のネット等は折畳みまたは格納できたとしても、折畳みまたは格納されたネット等の展開に手間がかかること、展開されたネット等の折畳みまたは格納に手間がかかること、折畳みまたは格納後の保管場所においてかさばることなどの問題があった。
【先行技術文献】
【特許文献】
【０００４】
【特許文献１】実用新案登録第３１３２４２９号公報
【特許文献２】実用新案登録第３１０５７６６号公報
【特許文献３】実用新案登録第３０６０１８４号公報
【特許文献４】実用新案登録第３０５００６２号公報
【特許文献５】特許第３７８７１５０号公報
【特許文献６】特開２００２−１４５４０４号公報
【特許文献７】特開２０００−２８９８０３号公報
【特許文献８】特許第３０５１６７９号公報
【考案の概要】
【考案が解決しようとする課題】
【０００５】
解決しようとする問題点は、折畳みまたは格納されたネット等の展開に手間がかからず、展開されたネット等の折畳みまたは格納に手間がかからず、折畳みまたは格納後の保管場所においてかさばらないネットを提供することである。
【課題を解決するための手段】
【０００６】
上記課題を解決するため、請求項１に記載の屋外用の折畳み式ネットは、
中心で結束され放射状に張り出した３本〜１２本の骨および
骨に部分的に結束された網を有し、
部分的に結束された骨および網は連動して展開された状態または畳まれた状態をとることができ、
骨および網が展開された状態では網が屋根を形成し底部が開放されているテント状となり、
骨および網が畳まれた状態では畳まれた傘のように狭い場所に格納することができる形状となり、
骨および網の開閉操作すなわち展開したり畳んだりする操作がワンタッチでできる構造を有し、
骨の先端部分におもりを有し、
骨および網が展開された状態で自立性を有するものである。
【０００７】
請求項２に記載の折畳み式ネットは、請求項１に記載の折畳み式ネットにおいて、網はカラス忌避のための処理が施されたものであることを特徴とする。
請求項３に記載の折畳み式ネットは、請求項１に記載の折畳み式ネットにおいて、網は紫外線吸収剤または光安定剤を含有する再利用プラスチックからなることを特徴とする。
請求項４に記載の折畳み式ネットは、請求項１に記載の折畳み式ネットにおいて、網は太さが０．５ｍｍ〜４ｍｍの範囲である糸からなることを特徴とする。
請求項５に記載の折畳み式ネットは、屋外のごみ一時置き場で袋入りごみに被せて鳥獣害防止に使用される、請求項１〜４のいずれかに記載の折畳み式ネットである。
請求項６に記載の折畳み式ネットは、ごみの戸別回収において使用される請求項５に記載の折畳み式ネットである。
【考案の効果】
【０００８】
本考案の折畳み式ネットは、折畳みまたは格納されたネット等の展開に手間がかからず、展開されたネット等の折畳みまたは格納に手間がかからず、折畳みまたは格納後の保管場所においてかさばらないという利点がある。
また展開されてテント状に伏せた自立状態のネットが、屋外で強風にさらされたり、鳥獣の攻撃にさらされたりしても、ネットが浮き上がったりひっくり返されたりすることなく、自立状態を維持することができる。
【図面の簡単な説明】
【０００９】
【図１】図１は展開された折畳み式ネットを例示した説明図である。
【図２】図２は折畳まれた折畳み式ネットを例示した説明図である。
【図３】図３は折畳まれた折畳み式ネットの展開操作を例示した説明図である。
【図４】図４は展開された折畳み式ネットの使用状態を例示した説明図である。
【考案を実施するための形態】
【００１０】
本考案の折畳み式ネットは、中心で結束され放射状に張り出した３本〜１２本の骨（１）および骨に部分的に結束された網（２）を有する。骨の本数は４本〜８本であることが好ましく、４本、６本または８本であることがより好ましい。
骨はアルミニウムやステンレス等の金属、熱硬化性樹脂、プラスチック（熱可塑性樹脂）、繊維強化樹脂等の材質でありうる。骨は例えば中心に位置するリング状部材（４）を介して結束される。各骨の中央付近には放射状の骨の開閉（展開および折畳みのことを開閉ともいう。）を操るための線状部材（５）が結束されており、線状部材の他端は棒状部材（６）に結束され、棒状部材は上記リング状部材の孔を貫通しながら上下して、骨の開閉をワンタッチで可能とする。棒状部材には骨の展開時の棒状部材の操作を容易にするための紐状部材（７）が結束されていてもよい。
リング状部材や棒状部材の材質は、アルミニウム等の金属であってもよいし、プラスチックであってもよい。
【００１１】
リング状部材中心の孔（内周）の形状は、円形であってもよいし、四角形、六角形、八角形などの多角形であってもよい。リング状部材中心の孔の形状が円形である場合は棒状部材は円柱状であり、リング状部材中心の孔の形状がｎ角形である場合は棒状部材はｎ角柱状であることが好ましい（ｎは例えば四、六、八など）。
リング状部材の外周の形状は、円形であってもよいし、四角形、六角形、八角形などの多角形であってもよい。リング状部材の外周の形状と内周の形状とは、必ずしも同一である必要はない。
図１に例示されたリング状部材は、外周も内周もともに円形である。
【００１２】
網は骨に部分的に結束され、骨の開閉と連動して網も開閉される。骨および網が展開された状態では、網が屋根のような覆いを形成し、底部が開放されているテント状の形状となる。骨および網が畳まれた状態では、畳まれた傘のように狭い場所に格納することができるコンパクトな形状となる。
【００１３】
骨および網の開閉操作すなわち展開したり畳んだりする操作がワンタッチでできる構造を有する。
図１に例示された展開状態において、棒状部材をリング状部材の中へ押し込むと、図２に例示された状態へと簡単に折畳むことができる。
図２に例示された折畳み状態において、紐状部材を引っ張る（図２においては紐状部材の先端に結束されている環状の持ち手部材（８）を引っ張る）と、図１に例示された状態へと簡単に展開することができる。
【００１４】
放射状に張り出した骨の先端部分には、おもりが取り付けられている。おもりは全ての骨の先端部分に取り付けられていることが好ましい。おもりが取り付けられていることにより、展開されてテント状に伏せた自立状態のネットが屋外で強風にさらされたり、鳥獣の攻撃にさらされたりしても、ネットが浮き上がったりひっくり返されたりすることなく、自立状態を維持することができる。
【００１５】
網は、プラスチック（熱可塑性樹脂）、熱硬化性樹脂、天然物などの糸（繊維）状物から形成される。網の種類としては、本目網、蛙又網、無結節網、ラッセル網、綟子網などが挙げられる。
【００１６】
網は、カラス忌避のための処理を施されたものであることが好ましい。カラス忌避のための処理としては、網の主原料であるプラスチック、熱硬化性樹脂などにカラス忌避剤を配合する方法、網にカラス忌避剤を含有するコーティング材で被覆する方法などが挙げられる。カラス忌避剤としては、メントール、はっか油、とうがらしエキスなどのカラス忌避化合物そのもの、またはカラス忌避化合物がタルクやクレーなどの担体に含浸されたもの、カラス忌避化合物がマイクロカプセル化されたものなどが挙げられる。
【００１７】
網は、耐候性向上のための処理を施されたものであることが好ましい。耐候性向上のための処理としては、網の主原料であるプラスチック、熱硬化性樹脂などに紫外線（ＵＶ）吸収剤や光安定剤などの耐候性向上剤を配合する方法、網に耐候性向上剤を含有するコーティング材で被覆する方法などが挙げられる。
耐候性向上剤としては、ベンゾフェノン系ＵＶ吸収剤、ベンゾトリアゾール系ＵＶ吸収剤、クエンチャー型光安定剤（ニッケルフェノレート系）、トリアジン系ＵＶ吸収剤、ヒンダードアミン系光安定剤、ヒンダードベンゾエート系光安定剤などが挙げられる。これらは併用されてもよい。
【００１８】
網の主原料として使用されるプラスチックとしては、ポリエチレン、ポリプロピレン、エチレンまたはプロピレンの共重合体、ポリエステル、ナイロンなどが挙げられる。プラスチックが再利用品であるものは、資源節約および廃棄物減量に貢献するため好ましい。再利用プラスチックが使用される場合は、耐候性向上剤の併用が特に好ましい。
網は、太さが０．５ｍｍ〜４ｍｍの範囲である糸からなるものが好ましく、０．７ｍｍ〜３ｍｍの範囲である糸からなるものがより好ましい。糸が細すぎると鳥獣からの攻撃などにより切れやすく、太すぎるとネットの重量が重くなり取扱いにくくなるほか不経済である。
【実施例１】
【００１９】
図１の折畳み式ネットを製造した。主たる材料は以下のとおりである。
骨（４本）
一般的な雨傘に使用されているものと類似のもの
材質：アルミニウム
断面形状：Ｕ字形状（厚さ０．５ｍｍの板を断面がＵ字状になるように加工したもの）
太さ：２ｍｍ
長さ：１ｍ
網
材質：ポリプロピレン
縦糸の太さ：１．５ｍｍ
横糸の太さ：１．８ｍｍ
網目のピッチ：約２０ｍｍ
おもり（４個）
材質：鉛
重量：２００ｇ
【実施例２】
【００２０】
網の材質を再生ポリエステル（再生ポリエチレンテレフタレート）に変更し、糸の太さを縦横とも１．５ｍｍに変更し、網目のピッチを約１０ｍｍに変更する以外は実施例１と同様な折畳み式ネットを製造した。
【００２１】
生ごみを収納した容量３０リットルのポリエチレン製ごみ袋４個を屋外に置き、実施例２で製造した折畳み式ネットを展開した状態でごみ袋２個を覆うように被せた。
１日後、ネットで覆われなかったごみ袋２個はカラスにより食い破られごみが散乱していたが、ネットで覆われたごみ袋２個はネットで覆われた状態が維持され、カラスに荒らされることはなかった。
【産業上の利用可能性】
【００２２】
本考案の折畳み式ネットは、ごみの戸別回収などにおいて屋外のごみ一時置き場で袋入りごみに被せて鳥獣害を防止するのに有用である。効果的なごみの回収や美観の維持に貢献する。
【符号の説明】
【００２３】
１    骨
２    網
３    おもり
４    リング状部材
５    線状部材
６    棒状部材
７    紐状部材
８    持ち手部材
【図１】
0003154764.tif 000003
【図２】
0003154764.tif 000004
【図３】
0003154764.tif 000005
【図４】
0003154764.tif 000006